【手続補正書】
【提出日】平成27年2月27日(2015.2.27)
【手続補正１】
【補正対象書類名】特許請求の範囲
【補正対象項目名】全文
【補正方法】変更
【補正の内容】
【特許請求の範囲】
【請求項１】
印刷データの印刷出力を行う画像形成装置であって、
クライアント装置から印刷データを受信する第１の受信手段と、
前記第１の受信手段で受信した印刷データに対する印刷承認の要求を行う要求手段と、
前記要求手段による要求に応じて入力される、前記印刷データの印刷承認情報を受信する第２の受信手段と、
前記２の受信手段で受信した印刷承認情報を前記第１の受信手段で受信した印刷データと対応付けて記憶する記憶手段と、
前記印刷データに対して印刷要求を受け付ける第１の受付手段と、
前記第１の受付手段で印刷要求を受け付けた印刷データの印刷許可判定に用いる入力情報の入力を受け付ける第２の受付手段と、
前記第２の受付手段で受け付けた前記入力情報と、前記第２の受信手段で受信した前記印刷承認情報とが合致するかを判定することで、当該印刷データの印刷を許可するかを判定する印刷許可判定手段と、
前記印刷許可判定手段で印刷を許可すると判定された場合に、前記第１の受付手段で印刷要求を受け付けた印刷データを印刷出力する印刷出力手段と、
を備えることを特徴とする画像形成装置。
【請求項２】
印刷承認の要求を行う文書データの指定を受け付ける第３の受付手段をさらに備え、
前記要求手段は、前記第３の受付手段で要求を受け付けた文書データに対して印刷承認の要求を行うこと
を特徴とする請求項１に記載の画像形成装置。
【請求項３】
前記第１の受信手段で受信した印刷データが、印刷承認が必要であるかを判定する文書判定手段をさらに備え、
前記要求手段は、前記文書判定手段で、第１の受信手段で受信した印刷データが、印刷承認が必要であると判定する場合に、当該印刷データに対する印刷承認の要求を行うこと
を特徴とする請求項１または２に記載の画像形成装置。
【請求項４】
前記受付手段で印刷要求を受け付けた前記印刷データが、前記文書判定手段で印刷承認が必要ではない印刷データであると判定する場合には、前記第２の受付手段で入力情報の入力を受け付けることなく、前記印刷出力手段は、当該印刷データを印刷出力すること
を特徴とする請求項３に記載の画像形成装置。
【請求項５】
印刷データの印刷出力を行う画像形成装置の制御方法であって、
クライアント装置から印刷データを受信する第１の受信工程と、
前記第１の受信工程で受信した印刷データに対する印刷承認の要求を行う要求工程と、
前記要求工程による要求に応じて入力される、前記印刷データの印刷承認情報を受信する第２の受信工程と、
前記２の受信工程で受信した印刷承認情報を前記第１の受信手段で受信した印刷データと対応付けて記憶装置に記憶する記憶工程と、
前記印刷データに対して印刷要求を受け付ける第１の受付工程と、
前記第１の受付手段で印刷要求を受け付けた印刷データの印刷許可判定に用いる入力情報の入力を受け付ける第２の受付工程と、
前記第２の受付工程で受け付けた前記入力情報と、前記第２の受信工程で受信した前記印刷承認情報とが合致するかを判定することで、当該印刷データの印刷を許可するかを判定する印刷許可判定工程と、
前記印刷許可判定工程で印刷を許可すると判定された場合に、前記第１の受付工程で印刷要求を受け付けた印刷データを印刷出力する印刷出力工程と、
を備えることを特徴とする画像形成装置の制御方法。
【請求項６】
印刷データの印刷出力を行う画像形成装置を、
クライアント装置から印刷データを受信する第１の受信手段と、
前記第１の受信手段で受信した印刷データに対する印刷承認の要求を行う要求手段と、
前記要求手段による要求に応じて入力される、前記印刷データの印刷承認情報を受信する第２の受信手段と、
前記２の受信手段で受信した印刷承認情報を前記第１の受信手段で受信した印刷データと対応付けて記憶装置に記憶する記憶手段と、
前記印刷データに対して印刷要求を受け付ける第１の受付手段と、
前記第１の受付手段で印刷要求を受け付けた印刷データの印刷許可判定に用いる入力情報の入力を受け付ける第２の受付手段と、
前記第２の受付手段で受け付けた前記入力情報と、前記第２の受信手段で受信した前記印刷承認情報とが合致するかを判定することで、当該印刷データの印刷を許可するかを判定する印刷許可判定手段と、
前記印刷許可判定手段で印刷を許可すると判定された場合に、前記第１の受付手段で印刷要求を受け付けた印刷データを印刷出力する印刷出力手段
として機能させることを特徴とするコンピュータプログラム。
【手続補正２】
【補正対象書類名】明細書
【補正対象項目名】００１１
【補正方法】変更
【補正の内容】
【００１１】
上記した目的を達成するために、本発明の画像形成装置は、印刷データの印刷出力を行う画像形成装置であって、クライアント装置から印刷データを受信する第１の受信手段と、前記第１の受信手段で受信した印刷データに対する印刷承認の要求を行う要求手段と、前記要求手段による要求に応じて入力される、前記印刷データの印刷承認情報を受信する第２の受信手段と、前記２の受信手段で受信した印刷承認情報を前記第１の受信手段で受信した印刷データと対応付けて記憶する記憶手段と、前記印刷データに対して印刷要求を受け付ける第１の受付手段と、前記第１の受付手段で印刷要求を受け付けた印刷データの印刷許可判定に用いる入力情報の入力を受け付ける第２の受付手段と、前記第２の受付手段で受け付けた前記入力情報と、前記第２の受信手段で受信した前記印刷承認情報とが合致するかを判定することで、当該印刷データの印刷を許可するかを判定する印刷許可判定手段と、前記印刷許可判定手段で印刷を許可すると判定された場合に、前記第１の受付手段で印刷要求を受け付けた印刷データを印刷出力する印刷出力手段と、を備えることを特徴とする。
【手続補正３】
【補正対象書類名】明細書
【補正対象項目名】００１２
【補正方法】変更
【補正の内容】
【００１２】
上記した目的を達成するために、本発明の画像形成装置の制御方法は、印刷データの印刷出力を行う画像形成装置の制御方法であって、クライアント装置から印刷データを受信する第１の受信工程と、前記第１の受信工程で受信した印刷データに対する印刷承認の要求を行う要求工程と、前記要求工程による要求に応じて入力される、前記印刷データの印刷承認情報を受信する第２の受信工程と、前記２の受信工程で受信した印刷承認情報を前記第１の受信手段で受信した印刷データと対応付けて記憶装置に記憶する記憶工程と、前記印刷データに対して印刷要求を受け付ける第１の受付工程と、前記第１の受付手段で印刷要求を受け付けた印刷データの印刷許可判定に用いる入力情報の入力を受け付ける第２の受付工程と、前記第２の受付工程で受け付けた前記入力情報と、前記第２の受信工程で受信した前記印刷承認情報とが合致するかを判定することで、当該印刷データの印刷を許可するかを判定する印刷許可判定工程と、前記印刷許可判定工程で印刷を許可すると判定された場合に、前記第１の受付工程で印刷要求を受け付けた印刷データを印刷出力する印刷出力工程と、を備えることを特徴とする。
【手続補正４】
【補正対象書類名】明細書
【補正対象項目名】００１３
【補正方法】変更
【補正の内容】
【００１３】
上記した目的を達成するために、本発明の印刷データの印刷出力を行う画像形成装置を、クライアント装置から印刷データを受信する第１の受信手段と、前記第１の受信手段で受信した印刷データに対する印刷承認の要求を行う要求手段と、前記要求手段による要求に応じて入力される、前記印刷データの印刷承認情報を受信する第２の受信手段と、前記２の受信手段で受信した印刷承認情報を前記第１の受信手段で受信した印刷データと対応付けて記憶装置に記憶する記憶手段と、前記印刷データに対して印刷要求を受け付ける第１の受付手段と、前記第１の受付手段で印刷要求を受け付けた印刷データの印刷許可判定に用いる入力情報の入力を受け付ける第２の受付手段と、前記第２の受付手段で受け付けた前記入力情報と、前記第２の受信手段で受信した前記印刷承認情報とが合致するかを判定することで、当該印刷データの印刷を許可するかを判定する印刷許可判定手段と、前記印刷許可判定手段で印刷を許可すると判定された場合に、前記第１の受付手段で印刷要求を受け付けた印刷データを印刷出力する印刷出力手段として機能させることを特徴とする。